(57)【要約】      （修正有）【課題】  ルータからの情報収集をＮＷの負荷を軽減しつつ、収集の迅速化を図ったルータ情報収集処理装置を提供する。【解決手段】  ルータ情報収集処理装置1は、ルータ２に記憶された情報をＮＷ負荷の軽いＴｅｌｎｅｔで迅速に収集し、該情報と該情報についてのしきい値とにより比較判定を行い、判定結果に基づいて処理を行う。段階的なルータのレベルを示すルータレベルを比較判定の結果に応じて記憶しておき、比較判定後、記憶したルータレベルに応じた処理を行なう。【選択図】図１
2005252830.tif 000002
【特許請求の範囲】
【請求項１】
ルータに記憶された情報を通信回線を介して収集し処理するルータ情報収集処理装置において、
ルータに記憶された数値情報並びに該情報から得られる数値情報に対するしきい値を記憶するしきい値記憶手段と、
ルータに記憶された数値情報をＴｅｌｎｅｔにより一括して収集するルータ情報収集手段と、
前記しきい値記憶手段に記憶されたしきい値を読み出し、前記ルータ情報収集手段で収集された数値情報並びに該情報から得られた数値情報と各当該しきい値とによる比較判定を行うルータ情報処理手段
とを備えることを特徴とするルータ情報収集処理装置。
【請求項２】
前記ルータ情報処理手段は、
段階的なルータのレベルを示すルータレベルを前記比較判定の結果に応じたルータレベルにして一旦記憶しておき、比較判定後、当該記憶したルータレベルに応じた処理を行うことを特徴とする請求項１記載のルータ情報収集処理装置。
【請求項３】
前記ルータ情報収集手段は、２回以上の情報収集を行い、
前記ルータ情報処理手段は、前回の数値情報と今回の数値情報の差分を計算し、該差分としきい値とによる比較判定を行うことを特徴とする請求項１または２記載のルータ情報収集処理装置。
【請求項４】
前記ルータ情報収集手段は、３回以上の情報収集を行い、
前記ルータ情報処理手段は、前々回の数値情報と前回の数値情報の平均値を計算し、前回の数値情報と今回の数値情報の平均値を計算し、当該平均値同士の差分を計算し、該差分としきい値とによる比較判定を行うことを特徴とする請求項１ないし３のいずれかに記載のルータ情報収集処理装置。
【請求項５】
ルータに記憶された情報を通信回線を介して収集し処理するルータ情報収集処理装置が行うルータ情報収集処理方法において、
前記ルータ情報収集処理装置は、
ルータに記憶された数値情報並びに該情報から得られる数値情報に対するしきい値を記憶するしきい値記憶手段を備え、
前記ルータ情報収集処理方法は、
ルータに記憶された数値情報をＴｅｌｎｅｔにより一括して収集し、前記しきい値記憶手段に記憶されたしきい値を読み出し、前記ルータ情報収集手段で収集された数値情報並びに該情報から得られた数値情報と各当該しきい値とによる比較判定を行うことを特徴とするルータ情報収集処理方法。
【請求項６】
段階的なルータのレベルを示すルータレベルを前記比較判定の結果に応じたルータレベルにして一旦記憶しておき、比較判定後、当該記憶したルータレベルに応じた処理を行うことを特徴とする請求項５記載のルータ情報収集処理方法。
【請求項７】
ルータから２回以上の情報収集を行い、
前回の数値情報と今回の数値情報の差分を計算し、該差分としきい値とによる比較判定を行うことを特徴とする請求項５または６記載のルータ情報収集処理方法。
【請求項８】
３回以上の情報収集を行い、
前々回の数値情報と前回の数値情報の平均値を計算し、前回の数値情報と今回の数値情報の平均値を計算し、当該平均値同士の差分を計算し、該差分としきい値とによる比較判定を行うことを特徴とする請求項５ないし７のいずれかに記載のルータ情報収集処理方法。
【請求項９】
請求項５ないし８のいずれかに記載のルータ情報収集処理方法をコンピュータに実行させるコンピュータプログラム。
【請求項１０】
請求項５ないし８のいずれかに記載のルータ情報収集処理方法をコンピュータに実行させるコンピュータプログラムが格納された記録媒体。
【発明の詳細な説明】
【技術分野】
【０００１】
本発明は、ルータに記憶された情報を、通信回線を介して収集し処理するルータ情報収集処理装置と該装置が行うルータ情報収集処理方法に関するものである。
【背景技術】
【０００２】
ルータは、ネットワークにおけるルーチングを行う装置であるが、そのルータに記憶された情報を通信回線を介して収集し処理するルータ情報収集処理装置は、ＳＮＭＰ(Simple Network Management Protocol)により情報収集を行い、これにより、ルータの故障や異常事態などを報知する。よって、ルータの故障や異常事態などを遠隔地で知ることができ、それにより迅速な回復措置をとることができる。かかる技術に関連する文献としては下記のものが知られている。
【特許文献１】特開平６−１８１４６７号公報
【特許文献２】特開平７−１４３１２３号公報
【特許文献３】特開平２０００−６６９７６号公報
【発明の開示】
【発明が解決しようとする課題】
【０００３】
しかしながら、従来のルータ情報収集処理装置で用いられたＳＮＭＰでは、ＮＷ負荷が大きい点や、ルータに記憶された情報を一括して収集できないため、情報収集が迅速に行えない可能性がある。そのため、ルータの故障や異常事態などを知るタイミングやルータに対する回復措置が遅れてしまう可能性がある。
【０００４】
そこで本発明は、上記の課題に鑑みてなされたものであり、その目的とするところは、ルータからの情報収集をＮＷ負荷の軽減を図りつつ、迅速化を図ったルータ情報収集処理装置を提供することにある。
【課題を解決するための手段】
【０００５】
上記の課題を解決するために、請求項１の本発明は、ルータに記憶された情報を通信回線を介して収集し処理するルータ情報収集処理装置において、ルータに記憶された数値情報並びに該情報から得られる数値情報に対するしきい値を記憶するしきい値記憶手段と、ルータに記憶された数値情報をＴｅｌｎｅｔにより一括して収集するルータ情報収集手段と、前記しきい値記憶手段に記憶されたしきい値を読み出し、前記ルータ情報収集手段で収集された数値情報並びに該情報から得られた数値情報と各当該しきい値とによる比較判定を行うルータ情報処理手段とを備えることを特徴とするルータ情報収集処理装置をもって解決手段とする。
【０００６】
請求項２の本発明は、前記ルータ情報処理手段は、段階的なルータのレベルを示すルータレベルを前記比較判定の結果に応じたルータレベルにして一旦記憶しておき、比較判定後、当該記憶したルータレベルに応じた処理を行うことを特徴とする請求項１記載のルータ情報収集処理装置をもって解決手段とする。
【０００７】
請求項３の本発明は、前記ルータ情報収集手段は、２回以上の情報収集を行い、前記ルータ情報処理手段は、前回の数値情報と今回の数値情報の差分を計算し、該差分としきい値とによる比較判定を行うことを特徴とする請求項１または２記載のルータ情報収集処理装置をもって解決手段とする。
【０００８】
請求項４の本発明は、前記ルータ情報収集手段は、３回以上の情報収集を行い、前記ルータ情報処理手段は、前々回の数値情報と前回の数値情報の平均値を計算し、前回の数値情報と今回の数値情報の平均値を計算し、当該平均値同士の差分を計算し、該差分としきい値とによる比較判定を行うことを特徴とする請求項１ないし３のいずれかに記載のルータ情報収集処理装置をもって解決手段とする。
【０００９】
請求項５の本発明は、ルータに記憶された情報を、通信回線を介して収集し処理するルータ情報収集処理装置が行うルータ情報収集処理方法において、前記ルータ情報収集処理装置は、ルータに記憶された数値情報並びに該情報から得られる数値情報に対するしきい値を記憶するしきい値記憶手段を備え、前記ルータ情報収集処理方法は、ルータに記憶された数値情報をＴｅｌｎｅｔにより一括して収集し、前記しきい値記憶手段に記憶されたしきい値を読み出し、前記ルータ情報収集手段で収集された数値情報並びに該情報から得られた数値情報と各当該しきい値とによる比較判定を行うことを特徴とするルータ情報収集処理方法をもって解決手段とする。
【００１０】
請求項６の本発明は、段階的なルータのレベルを示すルータレベルを前記比較判定の結果に応じたルータレベルにして一旦記憶しておき、比較判定後、当該記憶したルータレベルに応じた処理を行うことを特徴とする請求項５記載のルータ情報収集処理方法をもって解決手段とする。
【００１１】
請求項７の本発明は、ルータから２回以上の情報収集を行い、前回の数値情報と今回の数値情報の差分を計算し、該差分としきい値とによる比較判定を行うことを特徴とする請求項５または６記載のルータ情報収集処理方法をもって解決手段とする。
【００１２】
請求項８の本発明は、３回以上の情報収集を行い、前々回の数値情報と前回の数値情報の平均値を計算し、前回の数値情報と今回の数値情報の平均値を計算し、当該平均値同士の差分を計算し、該差分としきい値とによる比較判定を行うことを特徴とする請求項５ないし７のいずれかに記載のルータ情報収集処理方法をもって解決手段とする。
【００１３】
請求項９の本発明は、請求項５ないし８のいずれかに記載のルータ情報収集処理方法をコンピュータに実行させるコンピュータプログラムをもって解決手段とする。
【００１４】
請求項１０の本発明は、請求項５ないし８のいずれかに記載のルータ情報収集処理方法をコンピュータに実行させるコンピュータプログラムが格納された記録媒体をもって解決手段とする。
【発明の効果】
【００１５】
本発明によれば、ルータに記憶された数値情報をＮＷ負荷の軽減を図れるＴｅｌｎｅｔにより一括して収集し、しきい値記憶手段に記憶されたしきい値を読み出し、ルータ情報収集手段で収集された数値情報並びに該情報から得られた数値情報と各当該しきい値とによる比較判定を行うので、ルータからの情報収集の迅速化を図ることができるとともに、ルータの故障や異常事態などを知るタイミングの遅れやルータに対する回復措置の遅れを防止することができる。
【発明を実施するための最良の形態】
【００１６】
以下、本発明の実施の形態を、図面を参照して説明する。
【００１７】
図１は、本発明の実施の形態に係るルータ情報収集解析装置の構成を示す図である。
【００１８】
ルータ情報収集処理装置1は、ルータ２に記憶された情報を、通信回線を介して情報を収集し、該情報と該情報についてのしきい値とにより比較判定を行い、判定結果に基づいて処理を行うコンピュータである。ここでは、図示された複数のルータ２の中の１つ（単にルータ２という）についてルータ情報収集解析装置1が行う処理を説明するが、他のルータ２に対する処理も同様である。
【００１９】
ルータ情報収集処理装置1は、ルータ２の状態を示すルータレベルやルータ２に対して行われる措置の設定情報や実際の措置を示す措置情報などをルータ２のＩＰアドレスに対応づけて記憶するルータレベル記憶部１１と、ルータ２から情報を収集する処理を起動するための情報を記憶する起動情報記憶部１２と、ルータ２から収集する情報の項目を記憶する収集項目記憶部１３と、ルータ２から収集した情報を一時的に記憶する収集情報記憶部１４と、計算に使用するしきい値を記憶するしきい値記憶部１５（しきい値記憶手段）と、ルータ２からの情報収集、収集された情報等としきい値との比較判定、判定結果に基づくルータレベルの設定及びメッセージの生成、メッセージの表示制御、アラーム音の発生指示等を行う情報処理部１６（ルータ情報処理手段）と、メッセージが表示される表示部１７と、アラーム音を発生するスピーカ１８を備えるコンピュータである。
【００２０】
図２は、起動情報記憶部１２を示す図である。
【００２１】
起動情報記憶部１２には、ルータ２から情報を収集する処理を起動するための起動情報である、ルータ２のＩＰアドレス、起動年月日、起動時刻、起動周期、起動回数が記憶されている。
【００２２】
図３は、収集項目記憶部１３を示す図である。
【００２３】
収集項目記憶部１３には、ルータ２から収集する情報の項目である、コリジョン回数、リセット回数、インエラー回数、インＣＲＣ値、インデータビット数、アウトデータビット数、破棄パケットビット数が記憶されている。
【００２４】
図４は、しきい値記憶部１５を示す図である。
【００２５】
しきい値記憶部１５には、計算に使用するしきい値である、コリジョン回数増加率しきい値、リセット回数増加率しきい値、インエラー回数平均値増加率しきい値、インＣＲＣ値増加値しきい値、コリジョン回数増加数しきい値、リセット回数増加数しきい値、インデータバイト数平均値増加率しきい値、アウトデータバイト数平均値増加率しきい値、破棄パケットバイト数増加率しきい値、インデータバイト数減少率しきい値（負の値）、アウトデータバイト数減少率しきい値（負の値）、破棄パケットバイト数減少率しきい値（負の値）が記憶されている。
【００２６】
次に、上記構成としたルータ情報収集処理装置1の動作を説明する。
【００２７】
図５，図６、図７、図８及び図１０は、情報処理部１６のフローチャートである。
【００２８】
先ず、図５に示すように、ルータ情報収集処理装置1は、ユーザの操作により、起動情報の設定画面を表示させる（Ｓ１）。次に、ユーザの操作により、ルータ２のＩＰアドレス、起動年月日、起動時刻、起動周期、起動回数を起動情報記憶部１２に記憶させる（Ｓ３）。
【００２９】
ルータ２からの情報収集は、起動情報記憶部１２に記憶された起動年月日と起動時刻で示される起動時刻が到来すると行われ、それ以降、起動情報記憶部１２に記憶された起動周期（時間）が経過した時刻（起動時刻）毎に行われ、起動回数が起動情報記憶部１２に記憶された起動回数となった場合の情報収集を最後の情報収集にして終了する。
【００３０】
このように、１回目またはそれ以降の起動時刻が到来した場合（Ｓ５：Ｙｅｓ）、起動情報記憶部１２に記憶されたルータ２のＩＰアドレスによりルータ２に接続を試みる（Ｓ７）。ルータ２に接続できなかった場合は、一時的に当該ＩＰアドレスに対応づけてルータレベル「３」を記憶し（Ｓ９）、ステップＳ５１へ進む。
【００３１】
一方、ルータ２に接続できた場合は、ステップＳ１１へ進む。ここでは、今回の情報収集に先んじて、前回と前々回の情報収集が既に行われ、それらが収集情報記憶部１４に予め記憶されていることとする。
【００３２】
特に、前々回のインデータビット数と前回のインデータビット数の平均値（前回のインデータビット数平均値という）、前々回のアウトデータビット数と前回のアウトデータビット数の平均値（前回のアウトデータビット数平均値という）、並びに、前々回のインエラー回数と前回のインエラー回数の平均値（前回のインエラー回数平均値という）が計算されて、収集情報記憶部１４に記憶されていることとする。
【００３３】
なお、前回と前々回が存在しない１回目や前々回が存在しない２回目については、前回や前々回に収集した情報として全ての値が０である情報が収集情報記憶部１４に記憶され、インデータビット数とアウトデータビット数についての平均値として「０」が記憶されているので、３回目以降と同様の処理を行うことができる。
【００３４】
先ず、ルータ２にＴｅｌｎｅｔでログインし（Ｓ１１）、ルータ２に記憶されている全情報を読み出す（Ｓ１３）。次に、読み出した全情報から、収集項目記憶部１３に項目が記憶されたコリジョン回数、リセット回数、インエラー回数、インＣＲＣ回数、インデータビット数、アウトデータビット数、破棄パケットビット数を抽出し（Ｓ１５）、これらを今回の情報として収集情報記憶部１４に記憶させる（Ｓ１７）。なお、ステップＳ１１及びＳ１３が本発明の情報収集手段による処理が該当する。
【００３５】
次に、前回のインデータビット数と今回のインデータビット数の平均値（今回のインデータビット数平均値という）、前回のアウトデータビット数と今回のアウトデータビット数の平均値（今回のアウトデータビット数平均値という）、並びに、前回のインエラー回数と今回のインエラー回数の平均値（今回のインエラー回数平均値という）を計算する（Ｓ１９）。
【００３６】
次に、図７に示すように、前回のインデータビット数平均値と今回のインデータビット数平均値の差分（インデータビット数平均値増加数（正の場合）またはインデータビット数平均値減少数（負の場合）という）、前回のアウトデータビット数平均値と今回のアウトデータビット数平均値の差分（アウトデータビット数平均値増加数（正の場合）またはアウトデータビット数平均値減少数（負の場合）という）、前回のインエラー回数平均値と今回のインエラー回数平均値の差分（インエラー回数平均値増加数という）、前回のコリジョン回数と今回のコリジョン回数の差分（コリジョン回数増加数という）、前回のインＣＲＣ値と今回のインＣＲＣ値の差分（インＣＲＣ値増加値という）、前回の破棄パケットビット数と今回の破棄パケットビット数の差分（破棄パケットビット数増加数（正の場合）または破棄パケットビット数減少数（負の場合）という）、前回のリセット回数と今回のリセット回数の差分（リセット回数増加数という）を計算する（Ｓ２１）。
【００３７】
次に、しきい値記憶部１５からコリジョン回数増加率しきい値を読み出すとともに、コリジョン回数増加数が、前回のコリジョン回数に当該読み出したコリジョン回数増加率しきい値を乗じて得られるコリジョン回数増加数しきい値より小さいか否かを判定し（Ｓ２３）、ここでＮｏと判定されたときは、これまでの判定に使用した値や項目を含んだメッセージを生成するとともに、一時的にルータ２のＩＰアドレスに対応づけてルータレベル「１」を記憶し（Ｓ２５）、ステップＳ５１へ進む。
【００３８】
ステップＳ２３でＹｅｓと判定された場合は、しきい値記憶部１５からリセット回数増加率しきい値を読み出すとともに、リセット回数増加数が、前回のリセット回数に当該読み出したリセット回数増加率しきい値を乗じて得られるリセット回数増加数しきい値より小さいか否かを判定し（Ｓ２７）、ここでＮｏと判定されたときはステップＳ２５へ進む。
【００３９】
ステップＳ２７でＹｅｓと判定された場合は、今回のリセット回数が１以上で且つ今回のインデータビット数、今回のアウトデータビット数のいずれかが０であるか否かを判定し（Ｓ２９）、ここでＹｅｓと判定されたときはステップＳ２５へ進む。
【００４０】
ステップＳ２９でとＮｏと判定されたときは、しきい値記憶部１５からインエラー回数平均値増加率しきい値を読み出すとともに、インエラー回数平均値増加数が、前回のインエラー回数平均値に当該読み出したインエラー回数平均値増加率しきい値を乗じて得られるインエラー回数平均値増加数しきい値より小さいか否かを判定し（Ｓ３１）、ここでＮｏと判定されたときはステップＳ２５へ進む。
【００４１】
ステップＳ３１でＹｅｓと判定された場合は、しきい値記憶部１５からコリジョン回数増加数しきい値を読み出すとともに、コリジョン回数増加数が当該読み出したコリジョン回数増加数しきい値より大きいか否かを判定し（Ｓ３３）、ここでＮｏと判定されたときは、これまでの判定に使用した値や項目を含んだメッセージを生成するとともに、一時的に、ルータ２のＩＰアドレスに対応づけてルータレベル「２」を記憶し（Ｓ３５）、ステップＳ５１へ進む。
【００４２】
ステップＳ３３でＹｅｓと判定された場合は、しきい値記憶部１５からリセット回数増加数しきい値を読み出すとともに、リセット回数増加数が当該読み出したリセット回数増加数しきい値より大きいか否かを判定し（Ｓ３７）、ここでＮｏと判定されたときは、ステップＳ３５へ進む。
【００４３】
ステップＳ３７でＹｅｓと判定された場合は、しきい値記憶部１５からインＣＲＣ値増加値しきい値を読み出すとともに、インＣＲＣ値増加値が、前回のインＣＲＣ値に当該読み出したインＣＲＣ値増加値しきい値を乗じて得られるインＣＲＣ値増加値より小さいか否かを判定し（Ｓ３９）、ここでＮｏと判定されたときは、ステップＳ３５へ進む。
【００４４】
ステップＳ３９でＹｅｓと判定された場合は、図８に示すように、インデータビット数平均値増加数またはインデータビット数平均値減少数をバイト数（それぞれインデータバイト数平均値増加数、インデータバイト数平均値減少数（負の値）という）に変換し、アウトデータビット数平均値増加数またはアウトデータビット数平均値減少数をバイト数（それぞれアウトデータバイト数平均値増加数、アウトデータバイト数平均値減少数（負の値）という）に変換し、破棄パケットビット数増加数または破棄パケットビット数減少数をバイト数（それぞれ破棄パケットバイト数増加数、破棄パケットバイト数減少数（負の値）という）に変換する（Ｓ４１）。
【００４５】
次に、しきい値記憶部１５からインデータバイト数平均値増加率しきい値またはインデータバイト数減少率しきい値（負の値）を読み出すとともに、インデータバイト数平均値増加数が、前回のインデータバイト数平均値に当該読み出したインデータバイト数平均値増加率しきい値を乗じて得られるインデータバイト数平均値増加数しきい値より小さいか、またはインデータバイト数平均値減少数（負の値）が、前回のインデータバイト数平均値に当該読み出したインデータバイト数平均値減少率しきい値を乗じて得られるインデータバイト数平均値増加数しきい値（負の値）よりも大きいか否かを判定し（Ｓ４３）、ここでＮｏと判定されたときは、ステップＳ３５へ進む。
【００４６】
ステップＳ４３でＹｅｓと判定された場合は、しきい値記憶部１５からアウトデータバイト数平均値増加率しきい値またはアウトデータバイト数減少率しきい値（負の値）を読み出すとともに、アウトデータバイト数平均値増加数が、前回のアウトデータバイト数平均値に当該読み出したアウトデータバイト数平均値増加率しきい値を乗じて得られるアウトデータバイト数平均値増加数しきい値より小さいか、またはアウトデータバイト数平均値減少数（負の値）が、前回のアウトデータバイト数平均値に当該読み出したアウトデータバイト数平均値減少率しきい値を乗じて得られるアウトデータバイト数平均値減少数しきい値（負の値）よりも大きいか否かを判定し（Ｓ４５）、ここでＮｏと判定されたときは、ステップＳ３５へ進む。
【００４７】
ステップＳ４５でＹｅｓと判定された場合は、しきい値記憶部１５から破棄パケットバイト数増加率しきい値または破棄パケットバイト数減少率しきい値（負の値）を読み出すとともに、破棄パケットバイト数増加数が、前回の破棄パケットバイト数に当該読み出した破棄パケットバイト数増加率しきい値を乗じて得られる破棄パケットバイト数増加数しきい値より小さいか、または破棄パケットバイト数減少数（負の値）が、前回の破棄パケットバイト数に当該読み出した破棄パケットバイト数減少率しきい値を乗じて得られる破棄パケットバイト数減少数しきい値（負の値）よりも大きいか否かを判定し（Ｓ４７）、ここでＮｏと判定されたときは、ステップＳ３５へ進む。
【００４８】
ステップＳ４７でＹｅｓと判定された場合は、図９に一例を示すように、これまでの判定に使用した値や項目を含んだメッセージを生成するとともに、一時的に、ルータ２のＩＰアドレスに対応づけてルータレベル「３」を記憶し（Ｓ４９）、ステップＳ５１へ進む。
【００４９】
図１０に示すように、ステップＳ５１では、一時的にルータ２のＩＰアドレスに対応づけて記憶したルータレベルを読み出し（Ｓ５１）、ルータレベルが「２」または「３」の場合（Ｓ５３：２，３）は、保全検討資料の作成を行い（Ｓ５５）、ルータレベル記憶部１１へのルータレベル等の書き込みを行い（Ｓ５７）、処理を終える。
【００５０】
一方、ルータレベルが「１」の場合（Ｓ５３：１）は、ステップＳ５１で生成されたメッセージを表示部１７に表示させ、スピーカ１８でアラーム音を発生させる（Ｓ５９）。その後、ルータレベル記憶部１１への措置の設定情報の記憶（Ｓ６１）、ルータ２に対する回復措置の手配（Ｓ６３）などが行われ、当該回復措置がなされる（Ｓ６５）と、その回復措置を示す措置情報をルータレベル記憶部１１に記憶させ（Ｓ６７）、処理を終える。
【００５１】
以上説明したように、本実施の形態のルータ情報収集処理装置１によれば、ルータに記憶された数値情報をＴｅｌｎｅｔにより一括して収集し、しきい値記憶手段に記憶されたしきい値を読み出し、ルータ情報収集手段で収集された数値情報または該情報から得られた数値情報と当該しきい値とによる比較判定を行うので、ルータからの情報収集の迅速化を図ることができるとともに、ルータの故障や異常事態などを知るタイミングの遅れやルータに対する回復措置の遅れを防止することができる。
【００５２】
また、段階的なルータのレベルを示すルータレベルを比較判定の結果に応じたルータレベルにして一旦記憶しておき（Ｓ９等）、比較判定後、当該記憶したルータレベルに応じた処理を行うことにより課題解決を図ることができる。
【００５３】
また、ルータから２回以上の情報収集を行い、前回の数値情報と今回の数値情報の差分を計算し（Ｓ２１）、該差分としきい値とによる比較判定を行うことにより課題解決を図ることができる。
【００５４】
また、３回以上の情報収集を行い、前々回の数値情報と前回の数値情報の平均値を計算し、前回の数値情報と今回の数値情報の平均値を計算し（Ｓ１９）、当該平均値同士の差分を計算し（Ｓ２１）、該差分としきい値とによる比較判定を行うことにより課題解決を図ることができる。
【００５５】
なお、本実施の形態では、ルータに記憶された数値情報から差分や平均値などを計算し、それらとしきい値との比較判定を行ったが、ルータに記憶された数値情報そのものと該情報のためのしきい値との比較判定を行っても勿論良い。また、ルータから収集する情報の項目は適宜、追加または削除することができる。
【００５６】
また、上記説明した処理をルータ情報収集解析装置1に実行させるコンピュータプログラムは、半導体メモリ、磁気ディスク、光ディスク、光磁気ディスク、磁気テープなどのコンピュータ読み取り可能な記録媒体に格納したり、インターネットなどの通信網を介して伝送させて、広く流通させることができる。
【図面の簡単な説明】
【００５７】
【図１】本発明の実施の形態に係るルータ情報収集解析装置の構成を示す図である。
【図２】起動情報記憶部１２を示す図である。
【図３】収集項目記憶部１３を示す図である。
【図４】しきい値記憶部１５を示す図である。
【図５】情報処理部１６の第１のフローチャートである。
【図６】情報処理部１６の第２のフローチャートである。
【図７】情報処理部１６の第３のフローチャートである。
【図８】情報処理部１６の第４のフローチャートである。
【図９】メッセージの一例を示す図である。
【図１０】情報処理部１６の第５のフローチャートである。
【符号の説明】
【００５８】
１…ルータ情報収集処理装置
１１…ルータレベル記憶部
１２…起動情報記憶部
１３…収集項目記憶部
１４…収集情報記憶部
１５…しきい値記憶部
１６…情報処理部
１７…表示部
１８…スピーカ
【図１】
2005252830.tif 000003
【図２】
2005252830.tif 000004
【図３】
2005252830.tif 000005
【図４】
2005252830.tif 000006
【図５】
2005252830.tif 000007
【図６】
2005252830.tif 000008
【図７】
2005252830.tif 000009
【図８】
2005252830.tif 000010
【図９】
2005252830.tif 000011
【図１０】
2005252830.tif 000012